(57)【要約】【課題】所定の荷重を超える押圧力が要求される作業を行うことができる押圧装置を提供すること。【解決手段】実施形態の一態様に係る押圧装置は、ローラと、把持部と、ロック機構とを備える。ローラは、周面が被押圧体に当接して回動しながら被押圧体を押圧する。把持部は、ローラによって被押圧体を押圧する場合に取っ手となる。ロック機構は、把持部を介してローラの周面に加えられる押圧力が所定の荷重以下の場合に、ローラの回動をロックし、押圧力が所定の荷重を超える場合に、ローラの回転のロックを解除する。【選択図】図１
2019025605.tif 000002
【特許請求の範囲】
【請求項１】
周面が被押圧体に当接して回動しながら前記被押圧体を押圧するローラと、
前記ローラによって前記被押圧体を押圧する場合に取っ手となる把持部と、
前記把持部を介して前記ローラの周面に加えられる押圧力が所定の荷重以下の場合に、前記ローラの回動をロックし、前記押圧力が前記所定の荷重を超える場合に、前記ローラの回転のロックを解除するロック機構と
を備えることを特徴とする押圧装置。
【請求項２】
前記ロック機構は、
前記ローラに圧接されて前記ローラの回動をロックし、前記ローラから離間されて前記ローラの回動のロックを解除するロック部材と、
一端に前記把持部が設けられ、他端に前記ロック部材を駆動する駆動機構を介して前記ロック部材が連結されるプッシュロッドと、
前記プッシュロッドを前記把持部が設けられる前記一端の方向へ前記所定の荷重で付勢する圧縮バネと
を備え、
前記駆動機構は、
前記把持部に加えられる押圧力が前記プッシュロッドを付勢する前記圧縮バネの付勢力以下の場合に、前記ロック部材を前記ローラに圧接させ、前記押圧力が前記付勢力を超える場合に、前記ロック部材を前記ローラから離間させる
ことを特徴とする請求項１に記載の押圧装置。
【請求項３】
前記駆動機構は、
固定された回転軸を中心に回動するギヤと、
前記ギヤと噛合する前記ロック部材におけるラック部と、
前記ギヤと噛合する前記プッシュロッドに歯切りされた溝と
を含むことを特徴とする請求項２に記載の押圧装置。
【請求項４】
前記駆動機構は、
固定された回転軸を中心に回動するカムであり、前記回転軸を挟んで一方の周面が前記プッシュロッドの他端に当接し、他方の周面が前記ロック部材における引掛け部に当接する
ことを特徴とする請求項２に記載の押圧装置。
【請求項５】
前記駆動機構は、
固定された回転軸を中心に回動するリンク部材であり、一端が前記プッシュロッドの他端と可動自在に連結され、他端が前記ロック部材と可動自在に連結される
ことを特徴とする請求項２に記載の押圧装置。
【請求項６】
前記ロック機構は、
前記把持部が前記プッシュロッドの前記一端から前記他端へ向かう方向へ押圧されない状態で前記圧縮バネの反発力を増減させて前記所定の荷重を変更する荷重変更機構
をさらに備える
ことを特徴とする請求項２〜５のいずれか一つに記載の押圧装置。
【請求項７】
前記荷重変更機構によって変更される前記所定の荷重を表示する表示部
をさらに備える
ことを特徴とする請求項６に記載の押圧装置。
【発明の詳細な説明】
【技術分野】
【０００１】
開示の実施形態は、押圧装置に関する。
【背景技術】
【０００２】
従来、周面が被押圧体に当接して回動しながら被押圧体を押圧するローラと、ローラによって被押圧体を押圧する場合に取っ手となる把持部とを備える押圧装置がある。
【０００３】
また、ローラを回動可能に支持する支持部と把持部との間にバネが設けられ、把持部に必要以上の押圧力が加えられる場合に、押圧力の一部をバネによって吸収して、ローラによる被押圧体の押圧力を一定にする押圧装置がある（例えば、特許文献１参照）。
【先行技術文献】
【特許文献】
【０００４】
【特許文献１】特開２００８−８０５０号公報
【発明の概要】
【発明が解決しようとする課題】
【０００５】
しかしながら、上記した把持部に加えられる押圧力をバネで吸収する押圧装置は、所定の荷重未満での押圧が要求される作業には向いているが、所定の荷重を超える押圧力が要求される作業を行うことができない。
【０００６】
実施形態の一態様は、上記に鑑みてなされたものであって、所定の荷重を超える押圧力が要求される作業を行うことができる押圧装置を提供することを目的とする。
【課題を解決するための手段】
【０００７】
実施形態の一態様に係る押圧装置は、ローラと、把持部と、ロック機構とを備える。ローラは、周面が被押圧体に当接して回動しながら前記被押圧体を押圧する。把持部は、前記ローラによって前記被押圧体を押圧する場合に取っ手となる。ロック機構は、前記把持部を介して前記ローラの周面に加えられる押圧力が所定の荷重以下の場合に、前記ローラの回動をロックし、前記押圧力が前記所定の荷重を超える場合に、前記ローラの回転のロックを解除する。
【発明の効果】
【０００８】
実施形態の一態様に係る押圧装置は、所定の荷重を超える押圧力が要求される作業を行うことができる。
【図面の簡単な説明】
【０００９】
【図１】図１は、実施形態に係る押圧装置の側面視による説明図である。
【図２】図２は、実施形態に係る押圧装置の正面視による説明図である。
【図３】図３は、図１に示すＡ−Ａ線による押圧装置の模式的な断面図である。
【図４】図４は、図１に示すＢ−Ｂ線による押圧装置の模式的な断面図である。
【図５】図５は、図３に示す状態から把持部を時計回りに回転させた場合の押圧装置の模式的な断面図である。
【図６】図６は、図３におけるＣ−Ｃ線による押圧装置の模式的な断面図である。
【図７】図７は、図３におけるＤ−Ｄ線による押圧装置の模式的な断面図である。
【図８】図８は、実施形態の変形例１に係る押圧装置の内部構成を示す模式的な断面図である。
【図９】図９は、実施形態の変形例１に係る押圧装置の内部構成を示す模式的な断面図である。
【図１０】図１０は、実施形態の変形例２に係る押圧装置の内部構成を示す模式的な断面図である。
【図１１】図１１は、実施形態の変形例２に係る押圧装置の内部構成を示す模式的な断面図である。
【発明を実施するための形態】
【００１０】
以下、添付図面を参照して、本願の開示する押圧装置の実施形態を詳細に説明する。なお、以下に示す実施形態によりこの発明が限定されるものではない。図１は、実施形態に係る押圧装置１の側面視による説明図である。図２は、実施形態に係る押圧装置１の正面視による説明図である。
【００１１】
図１に示すように、押圧装置１は、例えば、板状のブラケット１００上に貼付される両面テープ１０１の上面を押圧して、両面テープ１０１をブラケット１００に圧着する場合に使用される。
【００１２】
ブラケット１００に両面テープ１０１を圧着する場合には、両面テープ１０１の剥がれを防止するため、ブラケット１００上に貼付される両面テープ１０１の上面に、所定の荷重（例えば、５ｋｇ）を超える押圧力を加えることが望ましい。
【００１３】
そこで、押圧装置１は、所定の荷重を超える押圧力が要求される作業を可能とする構成を備える。具体的には、押圧装置１は、図１および図２に示すように、ローラ２と、ハウジング３と、プッシュロッド４と、把持部５と、ロック機構６とを備える。
【００１４】
ローラ２は、周面が被押圧体となる両面テープ１０１に当接して回動しながら両面テープ１０１を押圧する。ハウジング３は、ローラ２を回動可能に支持し、内部にロック機構６が設けられる。また、ハウジング３には、プッシュロッド４が挿入されている。把持部５は、プッシュロッド４のハウジング３における上面から突出した部分に設けられ、ローラ２によって両面テープ１０１を押圧する場合に取っ手となる。
【００１５】
押圧装置１を使用する作業者は、把持部５を鉛直下方向（以下、下向きと記載する）へ押圧し、把持部５、プッシュロッド４、およびハウジング３等を介してローラ２の周面に押圧力を伝達することにより、両面テープ１０１の上面に荷重を掛けることができる。
【００１６】
ロック機構６は、図１における左側に示すように、把持部５を介してローラ２の周面に加えられる押圧力が所定の荷重以下の場合に、ローラ２の回動をロックする。また、ロック機構６は、図１における右側に示すように、把持部５を介してローラ２の周面に加えられる押圧力が所定の荷重を超える場合に、ローラ２の回転のロックを解除する。
【００１７】
これにより、作業者は、把持部５を介してローラ２の周面に対して、所定の荷重を超える押圧力を加えなければ、ローラ２を回動させることができない。つまり、ローラ２が回動して両面テープ１０１上を移動する場合、両面テープ１０１には必ず所定の荷重を超える押圧力が加えられる。したがって、押圧装置１は、所定の荷重を超える押圧力が要求される作業を行うことができる。
【００１８】
また、図２における左側に示すように、押圧装置１は、ハウジング３の正面に、ローラ２のロックを解除する閾値となる所定の荷重の重さを表示する表示部７を備える。表示部７は、ハウジング３に設けられる表示窓と、表示窓の脇に標記される目盛と、設定された所定の荷重の重さを示す矢印マーク７１とを備える。
【００１９】
さらに、押圧装置１は、図２における右側に示すように、把持部５と共にプッシュロッド４を回転させることにより、ローラ２のロックを解除する閾値となる所定の荷重の重さを変更する荷重変更機構を備える。
【００２０】
荷重変更機構は、例えば、把持部５が時計回りに回転されることによって、所定の荷重をより重くし、把持部５が反時計回りに回転されることによって、所定の荷重をより軽くする。表示部７は、荷重変更機構によって変更される所定の荷重の重さを矢印マーク７１が指し示す目盛の位置によって表示する。
【００２１】
これにより、押圧装置１は、両面テープ１０１の規格等によって両面テープ１０１の圧着に必要な所定の荷重が変わる場合であっても、荷重変更機構によって設定する荷重を変更することにより、種々の両面テープ１０１の圧着作業に対応することができる。また、押圧装置１を使用する作業者は、矢印マーク７１が指し示す目盛を目視で確認することにより、設定中の所定の荷重を容易に認識することができる。
【００２２】
次に、図３〜図７を参照し、押圧装置１の内部構造の一例について説明する。図３は、図１に示すＡ−Ａ線による押圧装置１の模式的な断面図である。図４は、図１に示すＢ−Ｂ線による押圧装置１の模式的な断面図である。
【００２３】
図５は、図３に示す状態から把持部５を時計回りに回転させた場合の押圧装置１の模式的な断面図である。図６は、図３におけるＣ−Ｃ線による押圧装置１の模式的な断面図である。図７は、図３におけるＤ−Ｄ線による押圧装置１の模式的な断面図である。
【００２４】
ここでは、便宜上、押圧装置１のローラ２が設けられる側を下、把持部５が設けられる側を上として説明する。なお、以下では、図３〜図７に示す構成要素のうち、図１または図２に示す構成要素と同一の構成要素については、図１または図２に示す符号と同一の符号を付することにより、重複する説明を省略する。
【００２５】
図３に示すように、ハウジング３は、内部が空洞になっており、一端側（下側）でローラ２を回動可能に支持し、内部に、プッシュロッド４、ストッパ８、押し板９、圧縮バネ１０、ギヤ１１、回転軸１２、およびロック部材１３を収納する。
【００２６】
また、ハウジング３は、正面視における左右両内側面に、上下方向に延在するリブ３１を備える。かかるリブ３１の機能については、図７を参照して後述する。さらに、ハウジング３は、内部空間を上下に分割する仕切り部３２を備える。
【００２７】
仕切り部３２は、平面視円形状であり中央にプッシュロッド４が挿通される開口を備える。また、ハウジング３は、平面視円盤状の天板の中央にも、プッシュロッド４が挿入される開口を備える。プッシュロッド４は、棒状の部材であり、上端に把持部５が取り付けられ、下端側をローラ２側へ向けてハウジング３における天板の開口および仕切り部３２の開口に挿入される。
【００２８】
また、プッシュロッド４には、ハウジング３における天板の直下に位置する部分に、鍔状のストッパ８が取り付けられる。かかるストッパ８は、プッシュロッド４がハウジング３の天板から抜け出ることを防止する。
【００２９】
また、プッシュロッド４は、ストッパ８の取付位置よりも下方の周面に、雄ネジ山４１が形成される。かかるプッシュロッド４には、中央に雌ネジ山が形成された開口を有する平面視円盤状の押し板９が螺合される。押し板９は、プッシュロッド４の上下方向への摺動に連動して昇降する。
【００３０】
かかる押し板９には、表示部７の矢印マーク７１が取り付けられる。なお、図３〜図５には、図２に示す表示部７との位置関係の理解を容易にするため、矢印マーク７１を図示している。
【００３１】
また、押し板９と前述した仕切り部３２との間の空間には、圧縮バネ１０が設けられる。圧縮バネ１０は、自然長の状態から圧縮され、プッシュロッド４の周囲をらせん状に周回して押し板９および仕切り部３２を付勢した状態で設けられる。かかる圧縮バネ１０は、プッシュロッド４を把持部が設けられる一端の方向（図３では、下から上へ向かう方向）へ所定の荷重で付勢する。
【００３２】
また、プッシュロッド４は、ハウジング３の仕切り部３２よりも下端側に位置する側面に、ギヤ１１と噛合する溝が歯切りされる。ギヤ１１は、ピニオンギヤであり、プッシュロッド４の歯切りされた溝と噛合する位置に、回転軸１２によって回転可能に支持される。
【００３３】
ロック部材１３は、ハウジング３における仕切り部３２よりも下側の内分空間に収納される。ロック部材１３は、把持部５を介してローラ２の周面に加えられる押圧力が所定の荷重以下の場合に、ローラ２に圧接されてローラ２の回動をロックするロックシュー部１３１を備える。
【００３４】
さらに、ロック部材１３は、一対のギヤ１１を左右両側から挟むようにロックシュー部１３１から上方へ向けて延伸するラック部１３２を備える。ラック部１３２は、ギヤ１１と面する側の側面に、ギヤ１１と噛合する溝が歯切りされてギヤ１１と噛合する。かかるラック部１３２およびギヤ１１は、ラック・アンド・ピニオンとして機能する。
【００３５】
ここで、図６を参照し、ラック部１３２、ギヤ１１、回転軸１２、およびプッシュロッド４の平面視における位置関係について説明する。図６に示すように、プッシュロッド４は、平面視においてハウジング３の中央位置に設けられる。
【００３６】
ギヤ１１は、平面視においてプッシュロッド４の左右両側に設けられ、プッシュロッド４に歯切りされた溝と噛合する。また、ラック部１３２は、平面視においてギヤ１１を介してプッシュロッド４と対向する位置に設けられ、側面に歯切りされた溝がギヤ１１と噛合する。
【００３７】
回転軸１２は、両端がハウジング３の壁面に形成される小穴に圧入されて支持される。なお、ハウジング３は、平面視において回転軸１２と直交する方向へ延伸するリブ３３を備える。回転軸１２は、かかるリブ３３に形成される小穴にも挿通される。
【００３８】
このように、各回転軸１２は、両端がハウジング３の壁面に形成される小穴によって軸受されて固定され、中途部の２箇所がリブ３３に形成される小穴によって軸受されて固定される。これにより、各回転軸１２は、軸曲がりの発生を抑制することができる。
【００３９】
図３に戻り、押圧装置１内部の状態および動作の説明を続ける。図３に示すように、例えば、把持部５に対して所定の荷重以下の押圧力しか加えられない場合、押圧力は、圧縮バネ１０が押し板９を介してプッシュロッド４を上方向に押す付勢力に打ち勝つことができない。これにより、ロック部材１３は、ロックシュー部１３１がローラ２の周面に圧接した状態を維持してローラ２の回転をロックする。
【００４０】
そして、図４に示すように、例えば、把持部５に対して所定の荷重を超える押圧力が加えられる場合、押圧力は、圧縮バネ１０が押し板９を介してプッシュロッド４を上方向に押す付勢力に打ち勝つ。
【００４１】
これにより、プッシュロッド４が下方へ降下してギヤ１１を回転させる。このとき、ギヤ１１は、前述したように、回転軸１２が固定されているため、上下動することなく回転する。これに伴って、ロック部材１３は、ラック部１３２が上昇し、ロックシュー部１３１がローラ２の周面から離間してローラ２のロックを解除する。
【００４２】
このように、ロック部材１３は、把持部５に対して所定の荷重以下の押圧力が加えられる場合に、ローラ２の回転をロックし、把持部５に対して所定の荷重を超える押圧力が加えられる場合に、ローラ２のロックを解除する。したがって、押圧装置１は、所定の荷重を超える押圧力が要求される作業を行うことができる。
【００４３】
このとき、押圧装置１は、ラック・アンド・ピニオンによりロック部材１３を昇降させるので、ロック部材１３の動作にガタツキがなく、押圧力が所定の荷重を超えるタイミングで正確にロック部材１３によるローラ２のロックを解除させることができる。
【００４４】
また、押圧装置１は、前述したように、把持部５と共にプッシュロッド４を回転させることによって、ローラ２のロックを解除する閾値となる所定の荷重の重さを変更することができる。次に、図５および図７を参照し、所定の荷重の重さを変更した場合における押圧装置１内部の状態について説明する。
【００４５】
図５に示すように、例えば、把持部５と共にプッシュロッド４を時計回り回転させると、押し板９は、プッシュロッド４とつれ回りすることなく、破線で示す位置から降下する。ここで、押し板９のつれ回りを防止する構成について説明する。
【００４６】
図７に示すように、ハウジング３は、平面視における左右両周面から突出するリブ３１を備える。一方、押し板９は、平面視における左右両外周面の対向する位置に、ハウジング３のリブ３１が嵌合される凹形状の切欠部９１を備える。
【００４７】
これにより、押圧装置１は、把持部５と共にプッシュロッド４を時計回りに回転させても、押し板９の凹形状の切欠部９１にハウジング３のリブ３１が嵌合しているため、プッシュロッド４とつれ回りすることなく降下する。
【００４８】
図５に戻り、所定の荷重の重さを変更した場合における押圧装置１内部の状態の説明を続ける。図５に示すように、プッシュロッド４の回転に伴って押し板９が降下すると、圧縮バネ１０がさらに圧縮されて反発力が増大する。
【００４９】
このため、押圧装置１は、押し板９が降下する前の状態でプッシュロッド４を降下させる最小限の押圧力が把持部５に加えられても、プッシュロッド４が降下しない。このように、押圧装置１は、把持部５と共にプッシュロッド４を時計回りに回転されて押し板９が降下されることによって、ローラ２のロックを解除する閾値となる所定の荷重の重さをより重くなるように変更することができる。
【００５０】
また、押圧装置１は、押し板９が降下すると、押し板９に取り付けられた矢印マーク７１も表示部７で所定の荷重がより重いことを示す目盛の位置まで降下するので、変更された所定の荷重を作業者に視覚的に認識させることができる。
【００５１】
また、押圧装置１は、把持部５と共にプッシュロッド４が反時計回りに回転されると、押し板９が上昇して、圧縮バネ１０の反発力が減少する。これにより、押圧装置１は、ローラ２のロックを解除する閾値となる所定の荷重の重さをより軽くなるように変更することができる。
【００５２】
このときにも、押圧装置１は、押し板９が上昇すると、押し板９に取り付けられた矢印マーク７１も表示部７で所定の荷重がより軽いことを示す目盛の位置まで上昇するので、変更された所定の荷重を作業者に視覚的に認識させることができる。
【００５３】
なお、上述したロック機構６の具体的構成は一例であり、種々の変形が可能である。次に、図８〜図１１を参照し、変形例に係る押圧装置１ａ，１ｂ内部の構成について説明する。
【００５４】
図８および図９は、実施形態の変形例１に係る押圧装置１ａの内部構成を示す模式的な断面図である。図１０および図１１は、実施形態の変形例２に係る押圧装置１ｂの内部構成を示す模式的な断面図である。
【００５５】
なお、以下では、図８〜図１１に示す構成要素のうち、図３〜図７に示す構成要素と同一の構成要素については、図３〜図７に示す符号と同一の符号を付することにより、その説明を省略する。
【００５６】
図８および図９に示すように、押圧装置１ａは、ギヤ１１の代わりにカム１１ａを備える点と、ロック部材１３ａおよびプッシュロッド４ａの形状が図３〜図７を参照して説明した押圧装置１とは異なる。
【００５７】
具体的には、図８に示すように、押圧装置１ａのプッシュロッド４ａは、ハウジング３の仕切り部３２よりも下端側に位置する側面に溝が歯切りされておらず、その代わりに、カム１１ａの一端側が差し込まれる凹部が設けられる。
【００５８】
また、押圧装置１ａのロック部材１３ａは、一対のカム１１ａを左右両側から挟むようにロックシュー部１３１から上方へ向けて延伸し、上部に各カム１１ａの他端側が差し込まれて引掛かる正面視Ｃ字状（コの字状）をした引掛け部１３２ａを備える。
【００５９】
各カム１１ａは、固定された回転軸１２を中心に回動する。かかるカム１１ａは、例えば、正面視平行四辺形状をしており、回転軸１２を挟んで一端側の周面がプッシュロッド４ａの凹部に差し込まれ、他端側の周面がロック部材１３ａの引掛け部１３２ａに差し込まれる。
【００６０】
かかる押圧装置１ａは、図８に示すように、プッシュロッド４ａが降下していない状態で、プッシュロッド４ａには、圧縮バネ１０から鉛直上向きの引き上げ力が作用している。これにより、各カム１１ａは、一端側がプッシュロッド４ａによって引き上げられ、他端側が引掛け部１３２ａを押し下げる方向へ付勢されることにより、ロックシュー部１３１をローラ２の周面に圧接させてローラ２の回転をロックする。
【００６１】
そして、カム１１ａは、図９に示すように、例えば、把持部５に対して所定の荷重を超える押圧力が加えられ、プッシュロッド４ａが降下する場合に回動する。これにより、カム１１ａは、一端側がプッシュロッド４ａによって押し下げられ、他端側が引掛け部１３２ａを引き上げてロックシュー部１３１を上昇させ、ローラ２のロックを解除する。
【００６２】
このように、押圧装置１ａは、押圧装置１に比べて簡易な構造で、把持部５に加えられる押圧力が所定の荷重以下の場合に、ローラ２の回動をロックし、把持部５に加えられる押圧力が所定の荷重を超える場合に、ローラ２の回転のロックを解除することができる。なお、図８および図９に示すカム１１ａの正面視における形状は一例であり、カム１１ａと同様の機能を実現できる形状であれば、任意の形状であってよい。
【００６３】
また、図１０および図１１に示すように、変形例２に係る押圧装置１ｂは、ギヤ１１の代わりにリンク部材１１ｂを備える点と、ロック部材１３ｂおよびプッシュロッド４ｂの形状が図３〜図７を参照して説明した押圧装置１とは異なる。
【００６４】
具体的には、図１０に示すように、押圧装置１ｂのプッシュロッド４ｂは、ハウジング３の仕切り部３２よりも下端側に位置する側面に溝が歯切りされておらず、その代わりに、リンク部材１１ｂの一端側が差し込まれる凹部が設けられる。
【００６５】
また、押圧装置１ｂのロック部材１３ｂは、ロックシュー部１３１から上方へ向けて延伸する延伸部１３２ｂを備える。各延伸部１３２ｂの上端部分には、前面から背面へ貫通する貫通孔が設けられる。
【００６６】
リンク部材１１ｂは、細長平板形状をしており、回転軸１２を中心に回転自在に支持され、一端側がプッシュロッド４ｂの凹部に差し込まれる。また、リンク部材１１ｂは、他端側に長円形状の穴１１２が設けられ、穴１１２とロック部材１３ｂにおける延伸部１３２ｂの上端部分に設けられる穴とに挿入されるピン１１３によって、可動自在に延伸部１３２ｂと連結される。
【００６７】
かかる押圧装置１ｂは、図１０に示すように、プッシュロッド４ｂが降下していない状態で、プッシュロッド４ｂには、圧縮バネ１０から鉛直上向きの引き上げ力が作用している。
【００６８】
これにより、各リンク部材１１ｂは、一端側がプッシュロッド４ｂによって引き上げられ、他端側がロック部材１３ｂの延伸部１３２ｂを押し下げる方向へ付勢されることにより、ロックシュー部１３１をローラ２の周面に圧接させてローラ２の回転をロックする。
【００６９】
そして、リンク部材１１ｂは、図１１に示すように、例えば、把持部５に対して所定の荷重を超える押圧力が加えられ、プッシュロッド４ｂが降下する場合に回転軸１２を中心に回転する。
【００７０】
これにより、リンク部材１１ｂは、一端側がプッシュロッド４ａによって押し下げられ、他端側がロック部材１３ｂの延伸部１３２ｂを引き上げてロックシュー部１３１を上昇させ、ローラ２のロックを解除する。
【００７１】
このように、押圧装置１ｂは、押圧装置１に比べて簡易な構造で、把持部５に加えられる押圧力が所定の荷重以下の場合に、ローラ２の回動をロックし、把持部５に加えられる押圧力が所定の荷重を超える場合に、ローラ２の回転のロックを解除することができる。なお、図１０および図１１に示すリンク部材１１ｂの正面視における形状は一例であり、リンク部材１１ｂと同様の機能を実現できる形状であれば、任意の形状であってよい。
【００７２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７３】
１，１ａ，１ｂ  押圧装置
２  ローラ
３  ハウジング
３１，３３  リブ
３２  仕切り部
４，４ａ，４ｂ  プッシュロッド
５  把持部
６  ロック機構
７  表示部
７１  矢印マーク
８  ストッパ
９  押し板
９１  切欠部
１０  圧縮バネ
１１  ギヤ
１１ａ  カム
１１ｂ  リンク部材
１２  回転軸
１３，１３ａ，１３ｂ  ロック部材
１００  ブラケット
１０１  両面テープ
１１２  穴
１３１  ロックシュー部
１３２  ラック部
１３２ａ  引掛け部
１３２ｂ  延伸部
【図１】
2019025605.tif 000003
【図２】
2019025605.tif 000004
【図３】
2019025605.tif 000005
【図４】
2019025605.tif 000006
【図５】
2019025605.tif 000007
【図６】
2019025605.tif 000008
【図７】
2019025605.tif 000009
【図８】
2019025605.tif 000010
【図９】
2019025605.tif 000011
【図１０】
2019025605.tif 000012
【図１１】
2019025605.tif 000013